(57)【要約】【課題】  情報機器において、利用された複数のアプリケーションのそれぞれの利用状況を把握できるようにする。【解決手段】  ネットワークＮ１では、複数の情報端末３００〜３０３と複数の情報機器２００が接続されている。ネットワークＮ１では、情報端末３００〜３０３から情報機器２００に対して、複数種類のアプリケーションについてアクセスが可能とされている。情報機器２００では、通信プロトコル等に基づいて、情報端末３００〜３０３からのアクセス情報を記憶している。遠隔管理システムサーバ１００は、情報機器２００に対して、後述するアクセス情報を要求する。そして、遠隔管理システムサーバ１００は、当該アクセス情報を遠隔管理クライアント端末４０１，４０２に提供したり、当該アクセス情報に基づいて、情報機器２００に対して広告メールを送ったりする。【選択図】        図１
2007065866.tif 000002
【特許請求の範囲】
【請求項１】
情報にアクセスするためのアプリケーションをインストールされた情報端末に接続された情報機器であって、
アプリケーションを用いて、前記情報端末からのアクセス要求を受付ける受付部と、
前記受付部で受付けたアクセス要求に基づいて、保持している情報にアクセスするアクセス手段と、
前記アクセス手段が情報のアクセスに利用したアプリケーションまたはアプリケーションの機能を特定する特定部と、
前記特定部によって特定されたアプリケーションまたはアプリケーションの機能の少なくとも一方を、履歴として記憶する履歴記憶部とを含む、情報機器。
【請求項２】
前記特定部は、前記受付部がアクセス要求を受付けた際に、前記情報端末との間で確立されたプロトコルに基づいて、前記情報端末が用いたアプリケーションまたはアプリケーションの機能の少なくとも一方を特定することによって、前記アクセス手段が情報のアクセスに利用したアプリケーションまたはアプリケーションの機能を特定する、請求項１に記載の情報機器。
【請求項３】
通信プロトコルとアプリケーションまたはアプリケーションの機能の少なくとも一方とを関連付けて記憶する種類記憶部をさらに含み、
前記特定部は、前記種類記憶部を参照して、前記情報端末との間で確立された通信プロトコルに基づいて、アプリケーションまたはアプリケーションの機能の少なくとも一方を特定する、請求項２に記載の情報機器。
【請求項４】
前記特定部は、前記受付部が受付けたアクセス要求に含まれるアクセスの種別とアクセスするデータの種別とに基づいて、アプリケーションまたはアプリケーションの機能の少なくとも一方を特定する、請求項１に記載の情報機器。
【請求項５】
前記アクセス種別および前記データ種別と、アプリケーションまたはアプリケーションの少なくとも一方とを関連付けて記憶する種類記憶部をさらに含み、
前記特定部は、前記種類記憶部を参照して、前記アクセス要求に含まれるアクセスの種別およびアクセスするデータの種別に基づいて、アプリケーションまたはアプリケーションの機能の少なくとも一方を特定する、請求項４に記載の情報機器。
【請求項６】
前記履歴記憶部は、前記情報端末が用いたアプリケーションまたはアプリケーションの機能の少なくとも一方と、前記情報端末のユーザまたは前記情報端末を特定する情報とを、関連付けて記憶する、請求項１〜請求項５のいずれかに記載の情報機器。
【請求項７】
前記履歴記憶部に記憶された履歴を、所定の装置へ送信する送信部をさらに含む、請求項１〜請求項６のいずれかに記載の情報機器。
【請求項８】
情報にアクセスするためのアプリケーションをインストールされた情報端末に接続された情報機器の制御方法であって、
アプリケーションを用いて、前記情報端末からのアクセス要求を受付けるステップと、
前記受付けたアクセス要求に基づいて、保持している情報にアクセスするステップと、
前記情報のアクセスに利用したアプリケーションまたはアプリケーションの機能を特定するステップと、
前記特定されたアプリケーションまたはアプリケーションの機能の少なくとも一方を、履歴として記憶するステップとを含む、情報機器の制御方法。
【請求項９】
情報にアクセスするためのアプリケーションをインストールされた情報端末に接続された情報機器を制御するための制御プログラムであって、前記情報機器に、
アプリケーションを用いて、前記情報端末からのアクセス要求を受付けるステップと、
前記受付けたアクセス要求に基づいて、保持している情報にアクセスするステップと、
前記情報のアクセスに利用したアプリケーションまたはアプリケーションの機能を特定するステップと、
前記特定されたアプリケーションまたはアプリケーションの機能の少なくとも一方を、履歴として記憶するステップとを実行させる、制御プログラム。
【発明の詳細な説明】
【技術分野】
【０００１】
本発明は、情報機器に関し、特に、複数のアプリケーションをインストールされた情報端末に接続される情報機器、その制御方法、および、制御プログラムに関する。
【背景技術】
【０００２】
従来から、多数の情報機器を遠隔で集中管理する遠隔管理システムに関する技術は広く知られている。
【０００３】
たとえば、特許文献１に開示されたシステムでは、監視デバイスがインターフェイスを介して、ターゲットアプリケーションの実行やユーザのアプリケーション利用が、共通リソースを用いられて、監視され、さらに、他のシステムへ通知される技術が開示されている。
【特許文献１】特開２００２−３３３９９６号公報
【発明の開示】
【発明が解決しようとする課題】
【０００４】
しかしながら、上記した従来技術では複数のユーザが別々の環境から複数のアプリケーションを利用して情報機器を利用した場合に、当該情報機器において、各アプリケーションの利用状況を把握することはできなかった。
【０００５】
本発明は、かかる実情に鑑み考えだされたものであり、その目的は、情報機器において、利用された複数のアプリケーションのそれぞれの利用状況を把握できるようにすることである。
【課題を解決するための手段】
【０００６】
本発明に従った情報機器は、情報にアクセスするためのアプリケーションをインストールされた情報端末に接続された情報機器であって、アプリケーションを用いて、前記情報端末からのアクセス要求を受付ける受付部と、前記受付部で受付けたアクセス要求に基づいて、保持している情報にアクセスするアクセス手段と、前記アクセス手段が情報のアクセスに利用したアプリケーションまたはアプリケーションの機能を特定する特定部と、前記特定部によって特定されたアプリケーションまたはアプリケーションの機能の少なくとも一方を、履歴として記憶する履歴記憶部とを含むことを特徴とする。
【０００７】
また、本発明に従った情報機器では、前記特定部は、前記受付部がアクセス要求を受付けた際に、前記情報端末との間で確立されたプロトコルに基づいて、前記情報端末が用いたアプリケーションまたはアプリケーションの機能の少なくとも一方を特定することによって、前記アクセス手段が情報のアクセスに利用したアプリケーションまたはアプリケーションの機能を特定することが好ましい。
【０００８】
また、本発明に従った情報機器は、通信プロトコルとアプリケーションまたはアプリケーションの機能の少なくとも一方とを関連付けて記憶する種類記憶部をさらに含み、前記特定部は、前記種類記憶部を参照して、前記情報端末との間で確立された通信プロトコルに基づいて、アプリケーションまたはアプリケーションの機能の少なくとも一方を特定することが好ましい。
【０００９】
また、本発明に従った情報機器では、前記特定部は、前記受付部が受付けたアクセス要求に含まれるアクセスの種別とアクセスするデータの種別とに基づいて、アプリケーションまたはアプリケーションの機能の少なくとも一方を特定することが好ましい。
【００１０】
また、本発明に従った情報機器は、前記アクセス種別および前記データ種別と、アプリケーションまたはアプリケーションの少なくとも一方とを関連付けて記憶する種類記憶部をさらに含み、前記特定部は、前記種類記憶部を参照して、前記アクセス要求に含まれるアクセスの種別およびアクセスするデータの種別に基づいて、アプリケーションまたはアプリケーションの機能の少なくとも一方を特定することが好ましい。
【００１１】
また、本発明に従った情報機器では、前記履歴記憶部は、前記情報端末が用いたアプリケーションまたはアプリケーションの機能の少なくとも一方と、前記情報端末のユーザまたは前記情報端末を特定する情報とを、関連付けて記憶することが好ましい。
【００１２】
また、本発明に従った情報機器は、前記履歴記憶部に記憶された履歴を、所定の装置へ送信する送信部をさらに含むことが好ましい。
【００１３】
本発明に従った情報機器の制御方法は、情報にアクセスするためのアプリケーションをインストールされた情報端末に接続された情報機器の制御方法であって、アプリケーションを用いて、前記情報端末からのアクセス要求を受付けるステップと、前記受付けたアクセス要求に基づいて、保持している情報にアクセスするステップと、前記情報のアクセスに利用したアプリケーションまたはアプリケーションの機能を特定するステップと、前記特定されたアプリケーションまたはアプリケーションの機能の少なくとも一方を、履歴として記憶するステップとを含むことを特徴とする。
【００１４】
本発明に従った制御プログラムは、情報にアクセスするためのアプリケーションをインストールされた情報端末に接続された情報機器を制御するための制御プログラムであって、前記情報機器に、アプリケーションを用いて、前記情報端末からのアクセス要求を受付けるステップと、前記受付けたアクセス要求に基づいて、保持している情報にアクセスするステップと、前記情報のアクセスに利用したアプリケーションまたはアプリケーションの機能を特定するステップと、前記特定されたアプリケーションまたはアプリケーションの機能の少なくとも一方を、履歴として記憶するステップとを実行させることを特徴とする。
【発明の効果】
【００１５】
本発明によれば、情報機器において、情報端末から受信した内容に基づいて当該情報端末からアクセスされたアプリケーションの種類が決定される。
【００１６】
これにより、情報機器において、利用された複数のアプリケーションのそれぞれの利用状況を把握できるようになる。
【発明を実施するための最良の形態】
【００１７】
図１は、本発明に従った情報機器を含む情報処理システムの一実施の形態を模式的に示す図である。
【００１８】
図１を参照して、情報処理システムには、ネットワークＮ１とネットワークＮ２の二つのネットワークが示されている。
【００１９】
ネットワークＮ１では、複数の情報端末３００〜３０３と複数の情報機器２００（情報機器Ａと情報機器Ｂ）が互いに接続されている。ネットワークＮ１では、情報端末３００〜３０３から情報機器２００に対して、複数種類のアプリケーションについてアクセスが可能とされている。
【００２０】
情報端末３００は、たとえばＰＤＡ（Personal Digital Assistance）からなり、情報端末３０１，３０２はデスクトップパソコンからなり、情報端末３０３はノート型パソコンからなる。つまり、ネットワークＮ１では、情報端末は、通信機能を備えていれば、その形態を特定されるものではない。
【００２１】
情報機器２００は、プリンタ・スキャナの機能を有する複合機からなる。なお、ネットワークＮ１では、情報機器２００は、通信機能を有するものであれば、複合機に限定されず、プリンタ単体やスキャナ単体であっても良い。
【００２２】
情報機器２００は、ネットワークＮ２にも接続されている。また、ネットワークＮ２には、遠隔管理システムサーバ１００および遠隔管理クライアント端末４０１，４０２が接続されている。
【００２３】
遠隔管理システムサーバ１００は、情報機器２００に対して、後述するアクセス情報を要求する。そして、遠隔管理システムサーバ１００は、当該アクセス情報を遠隔管理クライアント端末４０１，４０２に提供したり、当該アクセス情報に基づいて、情報端末３００〜３０３に対して広告メールを送ったりする。また、遠隔管理クライアント端末４０１，４０２においても、情報端末３００〜３０３に対してアクセス情報に基づいた広告メールが送られたりする。
【００２４】
図２は、情報機器２００の制御ブロック図である。
図２を参照して、情報機器２００は、機器全体の制御を行なうＣＰＵ（Central Processing Unit）２０１と、データを一時的に記憶するＲＡＭ（Random Access Memory）２０３と、プログラムや定数などを記憶するＲＯＭ（Read Only Memory）２０５と、情報を表示するディスプレイ２０７と、外部からの情報の入力を受付ける入力装置２０９と、他の装置と情報通信を行なうための通信装置２１１と、ＣＤ−ＲＯＭ（Compact Disc Read Only Memory）等の記録媒体に対して情報の書き込みおよび読み出しを行なうメディアドライブ２１３と、画像を出力するプリンタ２１５と、原稿の画像データを生成するスキャナ２１７と、種々の情報を記憶する記憶部２２０とを含む。ディスプレイ２０７と入力装置２０９は、液晶ディスプレイとその上に載置されるタッチパネルとで構成することも可能である。
【００２５】
記憶部２２０は、ＣＰＵ２０１によって実行されるアプリケーションプログラムを記憶するアプリケーション記憶部２２１、および、アプリケーションに利用するデータ等の種々のデータを記憶するデータ記憶部２２２を含む。
【００２６】
データ記憶部２２２に記憶される情報には、アプリ基本情報テーブル、搭載機能テーブル、および、アクセス情報が含まれる。
【００２７】
アプリ基本情報テーブルは、情報機器２００において実行される複数のアプリケーションについて、それぞれを特定するための基本的な情報を含む。表１に、アプリ基本情報テーブルの一例を示す。
【００２８】
【表１】
2007065866.tif 000003
【００２９】
アプリ基本情報テーブルでは、アプリケーションについて、名称（アプリ）、識別情報（アプリＩＤ）、利用される通信プロトコル、可能なアクセスの種別、および、取り扱われるデータの種別が互いに関連付けられて記憶されている。
【００３０】
搭載機能テーブルは、各アプリケーションに含まれる機能を特定するための情報を含む。表２に、搭載機能テーブルの一例を示す。
【００３１】
【表２】
2007065866.tif 000004
【００３２】
搭載機能テーブルは、アプリケーションの名称（アプリ）とアプリケーションに含まれる各機能に関する情報が関連付けられて記憶されている。ここで、各機能に関する情報には、機能の名称（種別）、各機能に対して付されたＩＤ（機能ＩＤ）、各機能が利用する通信プロトコル、各機能に対して可能なアクセスの種別、取り扱われるデータの種別、および、各機能が利用する機能の内容（利用機能）が含まれる。
【００３３】
アクセス情報は、ネットワークＮ１上で、どのユーザが、情報機器２００のどの機能にアクセスしたかという履歴を示す情報である。本実施の形態では、アクセス情報は、どのユーザまたはどの端末が、いつ、どのアプリケーションのどの機能を利用したかという情報を含む。また、アクセス情報は、情報機器ごとに記憶される。つまり、情報機器は、自機についてのアクセス情報を記憶している。
【００３４】
図３は、本実施の形態の情報処理システムにおいて、情報機器２００でアクセス情報が生成（または更新）される際に実行される処理のフローチャートである。なお、以下、図１中の情報機器２００の中の１つである情報機器Ａのアクセス情報が生成される際に実行される処理について説明する。
【００３５】
図３を参照して、まず、ステップＳ１では、ＣＰＵ２０１が、情報端末３００〜３０４のいずれかから情報機器Ａへアプリケーションを利用するためのアクセスがあったか否かを判断する。そして、アクセスがあったと判断されると、ステップＳ２へ処理が進められる。
【００３６】
ステップＳ２では、ＣＰＵ２０１は、情報端末３００〜３０３のいずれかからの、アプリケーションを利用したアクセスを受付ける。
【００３７】
次に、ステップＳ３では、ＣＰＵ２０１は、アクセスの際に情報端末が送信してきた情報に基づいて、アクセスに利用されたアプリケーションを特定する。具体的には、本実施の形態では、アプリ基本情報テーブル（表１参照）を参照し、アクセスの際に使用された通信プロトコルの種類に関連付けられたアプリケーションを検索することによって、アプリケーションの特定を行なう。たとえば、通信プロトコルがＨＴＴＰ（HyperText Transfer Protocol）である場合には、アクセスに利用されたアプリケーションは「アプリＢ」とされる。また、通信プロトコルが、ＳＮＭＰ（Simple Network Management Protocol）、ＳＭＴＰ（Simple Mail Transfer Protocol）、または、ＦＴＰ（File Transfer Protocol）である場合には、アクセスに利用されたアプリケーションは「アプリＡ」とされる。なお、通信に利用されるプロトコルは、通信装置２１１が各プロトコルに対応するインターフェイスの中のどのインターフェイスで通信を行なっているかが特定されることによって特定される。ＣＰＵ２０１は、アプリケーションの特定が終了すると、特定したアプリケーションのアプリＩＤをＲＡＭ２０３に記憶させる。
【００３８】
次に、ステップＳ４では、ＣＰＵ２０１は、アクセスの際に情報端末が送信してきた情報に基づいて、アクセスに利用されたアプリケーション内の機能を特定する。ここで、図４および図５を参照して、ステップＳ４の処理の内容を詳細に説明する。図４および図５は、ステップＳ４の処理のサブルーチンのフローチャートである。
【００３９】
機能を特定する処理では、まずステップＳ４０１で、ステップＳ３におけるアプリケーションの特定が完了しているか否かを判断する。そして、特定が失敗した場合等の完了していない場合には、そのままステップＳ４へ処理が戻される。一方、特定が完了していると判断するとステップＳ４０２に処理が進められる。
【００４０】
ステップＳ４０２では、記憶部２２０に搭載機能テーブルが記憶されているか否かが判断され、記憶されていると判断されるとステップＳ４０３に処理が進められ、記憶されていないと判断されるとステップＳ４へ処理が戻される。
【００４１】
ステップＳ４０３では、ＣＰＵ２０１は、搭載機能テーブルの読込みを行なう。
次に、ステップＳ４０４では、ＣＰＵ２０１は、情報端末から送信されてきた機能ＩＤが搭載機能テーブルに記憶されているものであるか否かを判断し、記憶されている場合にはその機能ＩＤに基づいて機能ＩＤに対応する機能が利用機能であるとされて、ステップＳ４へ処理が戻される。なお、このような場合、ＣＰＵ２０１は、たとえばＲＡＭ２０３に当該機能ＩＤを書き込むことが好ましい。一方、記憶されていない場合（または、送信されてきたデータに機能ＩＤがなかった場合）には、ステップＳ４０５へ処理が進められる。
【００４２】
ステップＳ４０５では、情報端末から送信されてきた情報に通信プロトコルを特定する情報が含まれるか否かを判断し、含まれない場合には、処理をステップＳ４へリターンさせる。一方、通信プロトコルが含まれると判断された場合には、処理はステップＳ４０６へ進められる。
【００４３】
以上、ステップＳ４０１〜４０５の処理では、アプリケーションが特定され、さらに、通信端末から送信されてきた機能ＩＤによって機能が特定できる場合（ステップＳ４０４でＹＥＳ判断時）には、送信されてきた機能ＩＤによって利用機能が特定される。
【００４４】
そして、ステップＳ４０６以降の処理では、通信端末から送信されてきた情報に機能ＩＤが含まれない場合の処理として、通信プロトコルに基づいて利用機能を特定するための処理が実行される。
【００４５】
つまり、通信プロトコルがＳＭＴＰである場合には（ステップＳ４０６でＹＥＳ判断時）、ステップＳ４０７で、機能ＩＤとして「ｄ」がＲＡＭ２０５に記録されて、ステップＳ４に処理がリターンされる。また、通信プロトコルがＦＴＰである場合には（ステップＳ４０８でＹＥＳ判断時）、ステップＳ４０９で、機能ＩＤとして「ｂ」がＲＡＭ２０５に記録されて、ステップＳ４に処理がリターンされる。
【００４６】
通信プロトコルがＳＮＭＰである場合（ステップＳ４１０でＹＥＳ判断時）、アクセス種別がＲ／Ｏ（リード・オンリー）であるとき（ステップＳ４１１でＹＥＳ判断時）には機能ＩＤとして「ａ」が、データ種別情報があり（ステップＳ４１３でＹＥＳ判断時）、そして、ユーザ情報であれば（ステップＳ４１４でＹＥＳ判断時）機能ＩＤとして「ｅ」が、データ種別情報がユーザ情報でなければ（ステップＳ４１４でＮＯ判断時）機能ＩＤとして「ｃ」が、それぞれＲＡＭ２０５に記録されて（ステップＳ４１２，４１５，４１６）、ステップＳ４に処理がリターンされる。なお、それ以外の場合には、機能ＩＤが決定されないまま、ステップＳ４に処理がリターンされる。
【００４７】
再度図３を参照して、ステップＳ４の処理の後、ＣＰＵ２０１は、ステップＳ５で、データ記憶部２２２のアクセス情報を更新して、ステップＳ６へ処理を進める。なお、ここでは、アクセス情報に、ステップＳ３およびステップＳ４の処理の結果が追加される。具体的には、アクセス情報に、ユーザまたは情報端末を特定する情報と、アクセスの時刻と、ステップＳ３およびステップＳ４で特定した利用されたアプリケーションの種類と利用された機能の種別とが追加される。
【００４８】
次に、ステップＳ６では、遠隔管理システムサーバ１００からの通信の要求があったか否かを判断し、あったと判断するとステップＳ７へ処理が進められ、ないと判断するとステップＳ１に処理が戻される。
【００４９】
ステップＳ７では、情報機器Ａにおいて、ＣＰＵ２０１が、記憶部２２０（データ記憶部２２２）からアクセス情報を読み出す。次に、ステップＳ８で、ＣＰＵ２０１は、読み出したアクセス情報を遠隔管理システムサーバ１００に送信する。そして、ステップＳ９で送信の完了が確認されると、ステップＳ１０で、ＣＰＵ２０１は、遠隔管理システムサーバ１００に送信した情報をデータ記憶部２２２のアクセス情報から削除して、待機状態に入る。
【００５０】
以上、図３〜図５を参照して説明した処理のプログラムは、たとえば記憶部２２０に記憶されている。なお、ＣＰＵ２０１は、記憶部２２０に記憶されたプログラムの他に、メディアドライブ２１３で読み出される、情報機器２００に対して着脱可能な記録媒体に記録されたプログラムを実行することもできる。
【００５１】
以上説明した本実施の形態では、情報機器は、アクセスされるプロトコル等に基づいて、アクセスされたアプリケーションおよびその中の機能を特定し、その履歴をアクセス情報として記憶することができる。そして、アクセス情報は、要求があれば、遠隔管理システムサーバ１００に送信される。また、本実施の形態では、情報端末３００〜３０３から情報機器２００に送信されるアクセス要求に含まれた機能ＩＤによって利用機能が特定される。そして、本実施の形態では、これと同様に、アクセス要求にアプリＩＤを含ませ、これによってアプリケーションを特定するようにされても良い。
【００５２】
また、ＣＰＵ２０１は、アクセス要求に含まれた情報またはプロトコルではなく、実際に当該ＣＰＵ２０１がアクセスしたまたはアクセスしようとした情報の種類（詳細には、アクセスの種別（リード／ライト）やデータの種別（表２中の「データ種別」）に基づいて、アプリケーションやアプリケーションの機能を特定し、アクセス情報に記録するようにしてもよい。
【００５３】
なお、情報機器は、アクセス情報を、所定期間に一度自発的に遠隔管理システムサーバ１００に送るように構成されても良い。
【００５４】
遠隔管理システムサーバ１００や遠隔管理クライアント端末４０１，４０２では、情報機器のアクセス情報に基づいて、アクセスのパターンに応じた広告をユーザにメール等で送信することができる。たとえば、ユーザが利用しているアプリケーションのバージョンアップ版が出たときなどに、その旨をユーザに通知すること等が考えられる。
【００５５】
また、遠隔管理システムサーバ１００および遠隔管理クライアント端末４０１，４０２は、情報機器のアクセス情報に基づいて、ユーザに対して、アプリケーションの効果的な利用に関する提案を行なうこともできる。このような提案とは、具体的には、たとえば、複数のアプリケーションに別々に備えられている機能を一括して備えているアプリケーションが情報機器２００においてインストールされている場合には、当該複数のアプリケーションを利用する代わりに、一括して機能を備えている方のアプリケーションの利用の提案である。
【００５６】
さらに、具体的には、情報機器２００において、表３に示されるように、ａ〜ｆという６個の機能ＩＤを含むアプリＣ、ａ，ｃという２個の機能ＩＤを含むアプリＤ、および、ｅ，ｆという２個の機能ＩＤを含むアプリＥがインストールされている場合を考える。つまり、情報機器２００には、アプリＤおよびアプリＥと、これらのアプリケーションに含まれるすべての機能を含むアプリＣとが、インストールされている。
【００５７】
【表３】
2007065866.tif 000005
【００５８】
そして、このような情報機器に対するアクセス情報に、あるユーザが、アプリＤとアプリＥとを利用している情報が含まれている場合には、遠隔管理システムサーバ１００および遠隔管理クライアント端末４０１，４０２は、当該ユーザに対して、アプリＤとアプリＥという複数のアプリケーションを利用する代わりに、アプリＣという単一のアプリケーションの利用を提案する情報を、メール等で送信することができる。
【００５９】
なお、遠隔管理システムサーバ１００および遠隔管理クライアント端末４０１，４０２は、メール連絡という機能を頻繁に（所定の頻度以上の頻度で）利用するユーザ（または端末）を選出し、メールの送受信に関する製品の広告を選出したユーザにのみ送信するように構成されても良い。
【００６０】
また、情報機器は、本実施の形態における通信プロトコルを、プロトコルパーサを利用して決定するように構成されても良い。
【００６１】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６２】
【図１】本発明の情報処理システムの一実施の形態の構成を模式的に示す図である。
【図２】図１の情報機器の制御ブロック図である。
【図３】図１の情報処理システムにおいて、情報機器においてアクセス情報が生成される際に実行される処理のフローチャートである。
【図４】図３の処理の中の、利用機能が特定される際に実行されるサブルーチンのフローチャートである。
【図５】図３の処理の中の、利用機能が特定される際に実行されるサブルーチンのフローチャートである。
【符号の説明】
【００６３】
１００  遠隔管理システムサーバ、２０１  ＣＰＵ、２０３  ＲＡＭ、２０５  ＲＯＭ、２０７  ディスプレイ、２０９  入力装置、２１１  通信装置、２１３  メディアドライブ、２２０  記憶部、２２１  アプリケーション記憶部、２２３  データ記憶部、２２４  ファイル記憶部、２２２  プリンタドライバ記憶部、３２２  ドライバ記憶部、２００  情報機器、３００〜３０３  情報端末、４０１，４０２  遠隔管理クライアント端末。
【図１】
2007065866.tif 000006
【図２】
2007065866.tif 000007
【図３】
2007065866.tif 000008
【図４】
2007065866.tif 000009
【図５】
2007065866.tif 000010